(57)【要約】【課題】外部エネルギーの振動や圧力を利用し、プロペラの低速回転においても、確実に発光ダイオードを点灯することができる自己発電物体位置表示器を提供する。【解決手段】  発電マグネットと圧縮バネをパイプ内部に入れ、そのパイプの外側にコイルを取り付けた発電マグネット組立体をコイル保持板に取り付け、又プロペラとその回転を伝える数個のギアシャフトと最終段のギアシャフトに吸引マグネットを有する回転板を各々コイル保持板に取り付け、回転板が回転して吸引マグネットと発電マグネットの磁力が互いに反発し合い、パイプ内を発電マグネットが瞬時に移動し、コイルに電流が流れ、終端の発光ダイオードを点灯する。更に吸引マグネットが離れていくと、圧縮バネの反発により、瞬時に発電マグネットは元の位置へ戻りコイルには逆向きの電流が流れ、ブリッジダイオードの整流により、終端の発光ダイオードを再点灯する。【選択図】  図１
2014103796.tif 000002
【特許請求の範囲】
【請求項１】
発電マグネットと圧縮バネをパイプ内部に入れ、そのパイプの外側にコイルを取り付け、発電マグネットとコイルの取り付け場所を同一にした発電マグネット組立体をコイル保持板に取り付け、又、プロペラとその回転を伝える数個のギアシャフトと最終段のギアシャフトに吸引マグネットを有する回転板を各々コイル保持板に取り付け、更に、コイル保持板の一部にクリップを取り付け、外部のエネルギーにより発電マグネットをコイルの両端に移動させ、発電マグネットとコイルの移動開始位置、移動時の軌道を同じ状態にし、発電マグネットとコイルの間隔を狭くすることで発電効率を高めて、自己発電で発光ダイオードを点灯させ、それを物体に取り付けて、その存在を外部に知らせるようにした事を特徴とした自己発電物体位置表示器。
【請求項２】
発電マグネットと圧縮バネ又は引っ張りバネをパイプ内部に入れ、そのパイプの外側にコイルを取り付けた発電マグネット組立体をコイル保持板に取り付け、又、回転板に吸引マグネット又は磁性体金属を取り付け、発電マグネットと吸引マグネットの反発又は吸引、又は発電マグネットと磁性体金属の吸引により、非接触で発電マグネットを移動させ、自己発電で発光ダイオードを点灯させるようにした事を特徴とした請求項１に記載の自己発電物体位置表示器。
【請求項３】
コイルの両端を発電マグネットが圧縮バネの反発や引っ張りバネの引き戻し等により瞬時に元の位置へ移動し、プロペラの回転が低速でも自己発電で発光ダイオードを点灯するようにした事を特徴とした請求項１〜２の何れかに記載の自己発電物体位置表示器。
【請求項４】
回転板の両端に各々極性が別の吸引マグネットを取り付けて、最初の半回転の吸引マグネットで発電マグネットを吸引し、次の半回転の吸引マグネットで発電マグネットを反発させ、又は最初の半回転の吸引マグネットで発電マグネットを反発させ、次の半回転の吸引マグネットで発電マグネットを吸引して発電マグネットを移動させ自己発電で発光ダイオードを点灯するようにした事を特徴とした請求項１〜請求項３の何れかに記載の自己発電物体位置表示器。
【請求項５】
パイプ内部に発電マグネットを取り付け、又その外側にコイルを取り付け、パイプの端に伸縮ゴム、又は、スポンジ、バネ等を取り付け、それを利用して振動や圧力より得るエネルギーを更に持続させ、発電マグネットの往復移動により発電効率を高め、同一ケースに発光ダイオードと制御箱を内蔵し、クリップ等を取り付け、それを人の衣服やペットのリード、首輪やランドセル、建築物等に簡単に取り付け、人やペットの外部振動や圧力等により自己発電で発光ダイオードを点灯させ、夜間の散歩や障害物の表示に利用できる事を特徴とした自己発電物体位置表示器。
【発明の詳細な説明】
【技術分野】
【０００１】
本発明は、風力、水力等の自然エネルギーを利用しプロペラを回転させ、それにより得られる力を利用して、コイル内部にある発電マグネットを上下、左右、前後等に移動させてコイルに電気を発生させ、又、振動や外部圧力、人的外部エネルギーにより同様にコイル内部にある発電マグネットを上下、左右、前後等に移動させ、コイルに電気を発生させて発光ダイオードを点灯させ、それを物体に取り付けてその存在を知らせる自己発電型の位置表示器に関する物である。
【背景技術】
【０００２】
夜間、自転車の後方に対して自転車の存在を知らせて安全を保つ為に、ＬＥＤ（発光ダイオード）を点灯、点滅させる物や人の衣服に照明装置を取り付けて点灯、点滅させる物がある。
【０００３】
自転車のＬＥＤの点滅を電池駆動で行う物は、電池の交換が必要なだけではなく、ＬＥＤを点滅させる為の制御回路が必要になり、又、衣服や建築物等に取り付ける物は電池や家庭用電源を利用し、その消耗により交換しなければならないし、配線をしなければならない。
【０００４】
ＬＥＤを内蔵した尾灯で、自転車に取り付けた発電機により点滅させることによって、駆動用電池を不要にした物が提案されている。
【０００５】
１つは前照灯用の発電機を利用して前照灯と尾灯の両方を駆動する物である。
前照灯用の発電機を利用するものでは、発電機から尾灯に電力を直接供給して走行中にのみ点滅させる物である。前照灯用の発電機を利用する物の他の形態は、自転車が停止している時も尾灯が点灯するようにしたものである（特許文献１参照）。その中では、前照灯と尾灯を分離し、発電機からの出力を整流してコンデンサー又は２次電池に充電して尾灯を点灯させ、又その一部を利用して方向指示機等にも利用している。
【０００６】
前照灯用の発電機は、通常、前輪側に設けられているので、自転車の前方から後方まで配線しなければならない為、ハンドルの操作により、又は使用時に配線が引っかかる等の事故によって、配線が切断されるようなことがあるので、長い年月の使用には不向きである。
【０００７】
後輪側に尾灯専用の発電機を設けたものもある。アーチ状の金具に左右２個の発電コイルを取り付け、後輪のリムにクリップ金具を介してマグネットを取り付け、後輪の回転により、マグネットが２個のコイルの間を通過する際の発電を利用しようとする物である。（特許文献２参照）。
【先行技術文献】
【特許文献】
【０００８】
【特許文献１】特開２０００−２５６６８号公報
【特許文献２】特開平１０−６７３５７号公報
【発明の概要】
【発明が解決しようとする課題】
【０００９】
自転車フレーム側に点灯専用の発電機を設け、発電機から電力を直接発光ダイオードに供給して点滅させるようにすれば、発光ダイオードは発電機の発電周期で点滅するので点滅させる為の制御回路は不要になってコスト低下を図ることができる。しかし、特許文献２で提案されているように、２個のコイル間をマグネットが通過するだけの物はマグネットとコイル間の磁界が閉磁路を構成しないか、又は閉磁路を構成しにくい構造で、マグネットとコイル間の距離、隙間を自転車の振動や車輪の回転ブレを考慮する為、数ミリあける必要があり発電効率が悪い。又、衣服やペット等に電池式の発光装置を取り付ける照明装置もあるが、電池の消耗等により交換しなければならず、コスト高となる。
【００１０】
したがって、本発明の目的はコイルとマグネットを分離することなく、コイル内部でマグネットが移動するように形成し、マグネットとコイルの隙間を狭くし、マグネットの移動開始位置や移動時の軌道を常に同じ状態にし、自転車等が走行して得られる風力又は自然風によりファンを回転させ、負荷をかけないで発電し、点灯回数を多く出来るようにし、又、人の衣服や靴、ペットの首輪やリード等に取り付け、それより得られる振動や圧力、人的振動を利用して自己発電できるようにし、それを取り付けた物体の存在を外部に知らせるようにしたものである。
【課題を解決するための手段】
【００１１】
本発明の自己発電物体位置表示器はプロペラ、ギア、発電マグネット組立体、クリップを有するコイル保持板、吸引マグネット及び制御箱と発光ダイオードを備えており、又、発電マグネット組立体、制御箱と発光ダイオードを閉じ込めたケースとクリップ等を備えている。
【００１２】
プロペラよりの回転力を連結された数個のギアで受け、最終段のギアシャフトに吸引マグネットを有する回転板を取り付け、各々コイル保持板に取り付ける。一方で発電マグネットを有する発電マグネット組立体は、同様にコイル保持板に取り付けられ、パイプ内に取り付けた圧縮バネと発電マグネットおよびパイプの外側にコイルを取り付けて形成されている。又、このコイル保持板を自転車のフレーム等や障害物の一部、ガードレール等の建築物の一部に固定する為に、コイル保持板にクリップが取り付けられている。又、プロペラよりの外部エネルギーを利用せず、外部振動や人的振動を利用する物は、発電マグネット組立体、制御箱と発光ダイオードをケースに閉じ込めクリップ等を備えている。
【００１３】
コイルの発生電力は電線を通し制御箱へ流れ、発電時の周期のまま発光ダイオードに供給される。
【発明の効果】
【００１４】
本発明の自己発電物体位置表示器は、自転車のフレーム等、風力を得られる場所や小川の辺の水力を得られる場所、ペットの散歩等に使用するリード、又はペットの首輪や人の衣服や靴等振動を得られる部分に取り付けると、風力から得られる回転力により発光ダイオードを点灯でき、また、ペット等より得られる振動により発電するので、発光ダイオードを点灯させる為の電池は不要である。コイルの発電波形がパルスなので発光ダイオードの点灯を点滅させる為の制御回路は必要なく、コストを低く抑えることが出来る。又、発電マグネットとコイルが接近しているので、発電効率を高めた発電をすることが出来るようになる。
【００１５】
請求項２記載の自己発電物体位置表示器は、プロペラの回転にともなって回転板に固定された吸引マグネットがコイル保持板に固定された発電マグネットを内部に有する発電マグネット組立体に近づくと、吸引マグネットの磁力と発電マグネットの磁力が互いに反発しあう極性にしてある為、発電マグネット組立体内部の発電マグネットが反発して遠ざかり、これによりコイルの両端を発電マグネットが瞬時に移動してコイルには電気が発生し、終端の発光ダイオードを点灯する。更に吸引マグネットが離れていくと、パイプ内部に取り付けられた圧縮バネの反発により、瞬時に発電マグネットは元の位置へ戻される。これにより、コイルの両端を発電マグネットが瞬時に移動し、再度コイルに電気が発生し終端の発光ダイオードを点灯する。
【００１６】
この動作は、回転板側に吸引マグネットを設けてコイル固定板に取り付け、反対側に発電マグネット組立体を設け、内部の発電マグネットと吸引マグネットの反発により、非接触で発電マグネットを移動させ、更に瞬時にバネによって元に戻り発電することで、プロペラの回転に負担をかけず発光ダイオードを点灯することができる。
【００１７】
請求項３記載の発明の自己発電物体位置表示器は、コイルの両端を発電マグネットが圧縮バネの反発や引っ張りバネの引き戻し等により瞬時に元の位置へ移動し、プロペラの回転が低速でも発光ダイオードを点灯させることができる。
【００１８】
請求項４記載の発明の自己発電物体位置表示器は、回転板の両端に各々極性が別の吸引マグネットを取り付けて、最初の半回転の吸引マグネットで発電マグネットを吸引し、次の半回転の吸引マグネットで発電マグネットを反発させ、又は最初の半回転の吸引マグネットで発電マグネットを反発させ、次の半回転の吸引マグネットで発電マグネットを吸引して、圧縮バネや引っ張りバネ無しで発電マグネットを移動させ発光ダイオードを点灯することができる。
【００１９】
請求項５記載の発明の自己発電物体位置表示器は、パイプ内部に発電マグネットを取り付け、パイプの端に伸縮ゴム、又は、スポンジ、バネ等を利用して振動や圧力より得るエネルギーを持続させ、発電マグネットの往復移動により発電効率を高め、同一ケースに発光ダイオードと制御箱を内蔵し、クリップ等を取り付けているので、人の衣服やペットのリード、首輪やランドセル等に簡単に取り付けられ、電池レスで発光ダイオードを点灯させ、夜間の散歩等に利用できる。
【図面の簡単な説明】
【００２０】
【図１】（Ａ）はコイル保持板にプロペラ、ギアを有するシャフトと吸引マグネットと回転板を有するシャフトを取り付け、反対側に発電マグネットと圧縮バネとコイルを有する発電マグネット組立体をコイル保持板に取り付け、下部にクリップを取り付けた斜視図であり、（Ｂ）はその正面図であり、（Ｃ）はＡ−Ａ方向より切断した断面図であり、（Ｄ）は圧縮バネを取り外してＡ−Ａ方向より切断した断面図である。
【図２】本発明の実施形態における自己発電物体位置表示器の他の実施形態を示したもので、（Ａ）は図１（Ｂ）の正面図に対し発電マグネット組立体を垂直に取り付けた斜視図であり、（Ｂ）はその側面図、（Ｃ）は正面図、（Ｄ）はＡ−Ａ方向より切断した断面図である。
【図３】本発明の実施形態における自己発電物体位置表示器の他の実施形態を示したもので、（Ａ）は図１（Ｂ）の正面図に対し発電マグネット組立体を横に取り付けた斜視図であり、（Ｂ）はその側面図、（Ｃ）は正面図、（Ｄ）は図（Ｃ）のＡ−Ａ方向より切断した発電マグネット組立体の断面図である。
【図４】本発明の実施形態における自己発電物体位置表示器の他の実施形態を示したもので、（Ａ）は圧縮バネを取り付けるバネ固定板を取り付けた斜視図であり、（Ｂ）はＡ―Ａ方向より切断した発電マグネット組立体部分を断面にした側面図であり、（Ｃ）は引っ張りバネを利用しＡ−Ａ方向より発電マグネット組立体部分を断面にした側面図であり、（Ｄ）は伸縮ゴムを利用しＡ−Ａ方向より発電マグネット組立体部分を断面にした側面図である。
【図５】（Ａ）は発電マグネット組立体に直接クリップを取り付けた斜視図であり、（Ｂ）はＡ−Ａ方向より切断した断面図であり、（Ｃ）はクリップを横に取り付けた斜視図であり、（Ｄ）はケーブルクリップを利用した斜視図である。
【図６】本発明の実施形態における自己発電物体位置表示器の他の実施形態を示したもので、（Ａ）はコイル固定板に発電マグネット組立体を取り付け、固定台に吸引マグネットを取り付けた斜視図であり、（Ｂ）はＡ−Ａ方向より切断し、発電マグネット組立体の部分を断面にした側面図である。
【図７】本発明の実施形態における自己発電物体位置表示器の他の実施形態を示したもので、図６（Ｂ）の吸引マグネットを利用しないで、固定台に発電マグネットを取り付け、Ａ−Ａ方向より切断し、発電マグネット組立体の部分を断面にした側面図である。
【図８】コイルと制御箱内の配線及び発光ダイオードを示した回路図である。
【発明を実施するための形態】
【００２１】
請求項１〜５記載の本発明に係る自己発電物体位置表示器の好適な実施形態を、以下図面に従って説明する。
【実施例１】
【００２２】
図１（Ａ）に示すように自己発電物体位置表示器は、先端にプロペラ１が付いたギアにシャフト３を取り付け、そのギアにギア４、ギア５、ギア６を連結させ、プロペラの回転より得られる力を増して、シャフトを通しギア６に連結された回転板７にその力を伝える。この回転板７には、発電マグネット１５に対し、共に極性が違う吸引マグネット８がそれぞれ両端に取り付けられ、各々のシャフトがコイル保持板２に取り付けられ、下端にクリップ９が取り付けられている。一方、このコイル保持板２の反対側には発電マグネット組立体１０が取り付けられ、図１（Ｂ）のＡ−Ａ方向より切断したその断面図を図１（Ｃ）に示す。発電マグネット１５と圧縮バネ１７をパイプ１６の内部に入れ、パイプ１６の外側にコイル１４を取り付け、パイプ先端にクッション３４を挿入し、蓋１８でこれらを閉じ込めた発電マグネット組立体１０をコイル保持板２に取り付ける。発電マグネット組立体１０は接着剤やネジ等を利用してコイル保持板２に取り付けられており、この発電マグネット組立体１０は図１（Ｃ）に示すようにボビンにエナメル線を巻き、コイル１４を作り、そのコイル１４の内部にパイプ１６を挿入し、そのパイプ１６の内部を発電マグネット１５がスムーズに移動できるように形成されている。このパイプ１６内の先端には、クッション３４を設け、発電マグネット１５の衝撃を吸収し、又、衝撃音を小さくするようにする。又、パイプ１６の片側を図１（Ｃ）のようにネジ状に加工して、蓋１８を取り付け、クッション３４や圧縮バネ１７の交換や発電マグネット１５に付着した異物の取り出し等行うことが出来るようにしてあり、又、パイプ１６とコイル保持板２の材質はアルミやプラスチック等の非磁性体の物を用いる。コイル１４より出る２本の電線の先に制御箱１３を接続し、更にその先に電線１２と発光ダイオード１１を接続する。制御箱１３と電線１２と発光ダイオード１１の取り付け場所は任意の位置で、コイル保持板２に取り付けてもよく、又は表示したい物体の任意の位置へ伸ばして取り付けても良い。コイル保持板２をクリップ９により、自転車のフレームやサドルの下等に取り付けると、通常自転車の走行中に受ける風力等により、プロペラ１が回転し、その力がギアを通して最終段の吸引マグネット８がある回転板７に伝わり、シャフトを軸として回転板７が回転する。回転板７が回転し、吸引マグネット８が発電マグネット１５に近づくと、吸引マグネット８と発電マグネット１５の極性が同相の為互いに反発し、発電マグネット１５は圧縮バネ１７を押して左へ移動する。発電マグネット１５の反発力と圧縮バネ１７の反発力の力関係を吸引マグネット８が近づいた場合、瞬時に移動できる値にしておくと、発電マグネット１５がパイプ１６の内部を移動し、外側のコイル１４の内部を移動することになり、コイルには電気が発生し、その出力は制御箱１３に流れ、終端の発光ダイオード１１を点灯させる。更に回転板７が回転して遠ざかると、発電マグネット１５よりの反発力が弱まり、圧縮バネ１７の力により発電マグネット１５は元の位置へ瞬時に戻される。これにより再度コイル１４内部を発電マグネット１５が右へ移動する為、再度逆向きの電気がコイルに流れ、制御箱１３を通し発光ダイオード１１を点灯させる。尚、圧縮バネ１７の代わりに反発するクッションやゴム、エアークッション、板バネ等をパイプ内に挿入しても良い。コイル１４から発生する電力は図８に示す回路のように接続され、制御箱１３内に存在するブリッジダイオード５５へ流れて整流され、常に同じ方向の電流を抵抗５７へ流すようにし、その後抵抗５７を経て発光ダイオード１１へ出力される。発光ダイオード１１の保護の為、コンデンサー５６に並列にツェナーダイオードを接続し、過大な電圧より発光ダイオード１１を保護してもよい（図示せず）。図１（Ａ）では、回転板７を１つにしているが、回転板７の形状を十字や６角と複数にして吸引マグネット８の数を増やしても良い。又、回転板７に取り付ける吸引マグネット８の代わりに磁性体の物を取り付け、或は吸引マグネット８の極性を逆にして回転させても良い。尚、この場合、発電マグネット組立体１０で使用する圧縮バネ１７を引っ張りバネやゴム等伸縮する物に代えて片側をネジ等で蓋１８に固定し、更にもう一方の片側を発電マグネット１５と接続して固定する必要がある。コイル１４に発生する電力は、主に発電マグネット１５の磁力の強さと、コイル内を通過するスピード、及びコイル１４の巻き線数等によるが、発電マグネット１５の磁力の強さと、コイル１４の巻き線数と圧縮バネ１７の強さは自転車等に取り付けた場合、通常走行で得られる回転で発光ダイオード１１を点灯させることができる値を決めればよく、又発光ダイオード１１を複数個取り付けても良い。コイル保持板２の一部に発電マグネット１５の径より小さい穴を開けているが、これは、外部より空気を取り入れ、発電マグネットの戻りをより良くする為のものであり、発電マグネット１５と吸引マグネット８の反発する力が強くパイプ内の移動がスムーズな場合、より小さな穴にしても良く、又はあけなくてもよい。クリップ９の形状や取り付け位置、取り付け方向を変化させ、障害物の一部や、ガードレール、建築物の角等風力を得られる場所に取り付けると、夜間その物体の存在位置を外部に知らせることができる。図１（Ｃ）では、パイプ１６の内部に挿入する発電マグネットの形状は円筒形であるが、球状にしても良く、パイプ１６の形状を多角にし、挿入する発電マグネット１５を多角柱にしてもよい。更に、図１（Ａ）のプロペラ１と連結ギア等の構造を変化させ、水が流れる小川等の水辺にプロペラを入れ、小川の水力を利用してプロペラを回転させ、発光ダイオード１１を点灯させても良い。
【実施例２】
【００２３】
次に、回転板７の両端に各々極性が別の吸引マグネット８を取り付けて、最初の吸引マグネット８で発電マグネット１５を反発し、次の吸引マグネット８で発電マグネット１５を吸引させ、又は最初の吸引マグネット８で発電マグネット１５を吸引させ、次の吸引マグネット８で発電マグネット１５を反発して発電マグネットを移動させ、発光ダイオード１１を点灯するようにした実施例について説明する。
図１（Ｄ）の発電マグネット組立体１０は、図１（Ｃ）の発電マグネット組立体１０の圧縮バネ１７を取り除き、接続部材１９を発電マグネット１５に接続し、パイプ１６を短くしたパイプ６１を使用し、両端にクッション３４を挿入し、これら変更した物を図１（Ａ）のように取り付け、図１（Ｂ）の正面図の場合と同様にＡ−Ａ方向より切断した断面図である。回転板７の両端に取り付けられた２個の吸引マグネット８の極性は実施例１の時とは互いに別で、図１（Ｄ）に示すように、最初の吸引マグネット８の極性が発電マグネット１５に対しＮ極の場合、反対側の吸引マグネット８の極性をＳ極とする。通常、発電マグネット１５はパイプ６１内の自由な位置にあるが、プロペラ１が回転し、回転板７が回転すると、回転板７に固定された最初の吸引マグネット８が発電マグネット組立体１０とその内部にある発電マグネット１５に近づき、吸引マグネット８の磁力と発電マグネット１５の磁力が互いに反発し始め、吸引マグネット８の最接近に対し、発電マグネット１５の反発により、パイプ６１内を発電マグネット１５が瞬時にコイル１４の右端から左端に移動する。この時コイル１４には電流が流れ、終端の発光ダイオード１１を点灯する。更に吸引マグネット８が離れて行き、次の吸引マグネット８が発電マグネット１５に近づくと、吸引マグネット８の磁力と発電マグネット１５の磁力が互いに吸引し始め、吸引マグネットの最接近に対し、発電マグネット１５が吸引され、パイプ６１内を発電マグネット１５が瞬時にコイル１４の左端から右端に移動する。これにより、コイル１４には逆向きの電流が流れ、ブリッジダイオード５５の整流により、終端の発光ダイオード１１を再点灯する。図１（Ａ）では、回転板７を１つにしているが、図１（Ｄ）の場合も実施例１と同様に回転板７の形状を十字や６角と複数にして吸引マグネット８の数を増やしても良い。発電マグネット１５がパイプ６１内をスムーズに移動できる場合、接続部材１９の形状を小さくしたり、取り除いても良く、又、発電マグネット１５の形状を球体にしてパイプ６１内を移動できるようにしてもよい。接続部材１９と発電マグネット１５の接続方法は互いにネジ加工、或は接着剤等で接続し、或は収縮チューブ等の保護カバーで被い連結しても良い。その他の詳細については実施例１と同様なので省略する。
【実施例３】
【００２４】
図２（Ａ）は図１（Ｂ）の正面図に対し発電マグネット組立体を垂直に取り付けた斜視図であり、（Ｂ）はその側面図、（Ｃ）は正面図、（Ｄ）はＡ−Ａ方向より切断し発電マグネット組立体１０の内部を表した断面図である。図２（Ａ）に示すように、実施例１の時と違い発電マグネット組立体１０をコイル保持板２に対し垂直にし、発電マグネット２３を上下に移動させて発電する方法について説明する。
図２（Ａ）に示すように、先端にプロペラ１が付いたギアにシャフト３を取り付け、そのギアにギア４、ギア５、ギア６を連結させ、プロペラの回転より得られる力を増して、シャフトを通しギア６に連結された回転板７にその力を伝える。この回転板７の軌道上で、カム２０の右下部が押し上げられるようにカム２０の反対側にシャフトを取り付け、コイル保持板２に固定する。又、このカム２０には、発電マグネット２３を上下に移動させる為のワイヤー２２が接続され、反対側を発電マグネット２３の上部に接続する。発電マグネット２３の下部には引っ張りバネ２４が取り付けられ、その反対側をコイル保持板２の底部にネジ２６等で固定する。又、このコイル保持板２には、カム２０の下降防止用として、ストッパー２１が取り付けられている。図２（Ｄ）に示すように、パイプ２７の内部を発電マグネット２３が上下にスムーズに移動できるようにし、そのパイプの外側にコイル１４を取り付け、これらを接着剤２５等によりコイル保持板２に取り付け、又、パイプ２７とコイル保持板２及び接着剤２５等の材質はアルミやプラスチック等の非磁性体の物を用いる。コイル１４からの電線が制御箱１３へ入り制御されて電線１２を通り最終段の発光ダイオードへ出力される。先端にプロペラ１が付いたギアとギア４、ギア５、ギア６の各シャフトがコイル保持板２に取り付けられ、下端にクリップ９が取り付けられている。コイル保持板２をクリップ９により、自転車のフレームやサドルの下等に取り付けると、通常自転車の走行中に受ける風力等により、プロペラ１が回転し、その力がギアを通して最終段の回転板７に伝わり、シャフトを軸として回転板７が回転する。回転板７が回転してカム２０の右下にあたり、その後カム２０を持ち上げ始めると、それと連動してカムに接続されているワイヤー２２も上昇しワイヤーの下部の発電マグネット２３と引っ張りバネ２４も回転板７がカム２０より外れるまで一気に上昇する。これにより、発電マグネット２３がコイル１４内を下端から上端まで移動しコイル１４に電気が発生し、その出力は制御箱１３に流れ、終端の発光ダイオード１１を点灯させる。更に回転板７が回転してカムの右端が回転板より外れると、引っ張りバネ２４の力により発電マグネット２３は元の位置へ瞬時に戻される。これにより再度コイル１４内部を発電マグネット１５が移動する為、再度逆向きの電気がコイルに流れ、制御箱１３を通し発光ダイオード１１を点灯させる。コイル１４から発生する電力は図８に示す回路のように接続され、制御箱１３内に存在するブリッジダイオード５５へ流れてその後抵抗５７を経て発光ダイオード１１へ出力される。発光ダイオード１１の保護の為、コンデンサー５６に並列にツェナーダイオードを接続し、過大な電圧より発光ダイオード１１を保護してもよい（図示せず）。コイル１４に発生する電力は、主に発電マグネット１５の磁力の強さと、コイル内を通過するスピード、及びコイル１４の巻き線数等によるが、発電マグネット１５の磁力の強さと、コイル１４の巻き線数は自転車等に取り付けた場合、通常走行で得られる回転で発光ダイオード１１を点灯させることができる値を決めればよい。クリップ９の形状や取り付け位置、取り付け方向を変化させ、障害物の一部や、ガードレール、建築物の角等風力を得られる場所に取り付けると、夜間その物体の存在位置を外部に知らせることができる。図２（Ｄ）では、パイプ２７の内部に挿入する発電マグネットの形状は円筒形であるが、球状にしても良く、パイプ２７の形状を多角にし、挿入する発電マグネット１５を多角柱にしてもよい。発電マグネット１５はネジ２６をコイル保持板２より取り外すと分離できるので、パイプ内部の掃除や発電マグネット２３の交換等ができる。パイプ２７はアルミやプラスチック等の非磁性体の物を利用し、又、コイル保持板の材質も発電マグネット２３に影響を与えない非磁性体の物を利用する。本発明では発電マグネット２３が引っ張りバネ２４により、パイプ内を上下に正確に移動できる為、発電マグネット２３とコイル１４の移動開始位置、移動時の軌道が常に同じ状態になり、発電マグネット２３とコイル１４の間隔を狭くすることで発電効率を高めて、安定した電力を発生することができる。制御箱１３と電線１２と発光ダイオード１１の取り付け場所は任意の位置で、コイル保持板２に取り付けてもよく、又は表示したい物体の任意の位置へ伸ばして取り付けても良い。これにより、制御箱１３より発光ダイオード１１までの電線１２を長くしておくと、発光ダイオード１１の取り付け位置は自転車等の場合サドル後方、フレームやフェンダー等へ粘着材やクリップ等を利用し取り付けられる。又、図２（Ａ）のクリップ９の大きさや形、取り付け位置や方法を変え、他のフレーム等に取付けても良い。これにより、自転車の場合、夜間に自転車の側面、後方より発光ダイオード１１の点滅を確認でき、安全性が確保できる。図２（Ａ）では、回転板７を１つにしているが、回転板７の形状を十字や６角と複数にしてカム２０の上下動の回数を増やすと回転板の１回転に複数回点滅させることができる。コイル１４に発生する電力は、主に発電マグネット２３の磁力の強さと、通過するスピード、及びコイル１４の巻き線数等によるが、発電マグネット２３の磁力の強さと、コイル１４の巻き線数は自転車等に取り付けた場合、通常走行回転で発光ダイオード１１を点灯させることができる値を決めればよく、又発光ダイオード１１を複数個取り付けてもよい。
【実施例４】
【００２５】
図３（Ａ）は図１（Ｂ）の正面図に対し発電マグネット組立体を横向きに取り付けた斜視図であり、（Ｂ）はその側面図、（Ｃ）は正面図、（Ｄ）は図（Ｃ）のＡ−Ａ方向より切断し発電マグネット組立体１０の内部を表した断面図である。図３（Ａ）に示すように、実施例１の時と違い、発電マグネット組立体１０をコイル保持板２に対し横向きにして、発電マグネット１５を左右に移動させて発電する方法について説明する。
図３（Ａ）に示すように、先端にプロペラ１が付いたギアにシャフト３を取り付け、そのギアにギア４、ギア５、ギア６を連結させ、プロペラの回転より得られる力を増して、シャフトを通しギア６に連結された回転板７にその力を伝える。この回転板７の軌道上で、振り子２８の上部右角が回転板に押され左方向へ移動するように、振り子に軸６２を取り付け、プロペラ１と各ギアと回転板７が付いたシャフトと同様にコイル保持板２に固定する。又、この振り子２８の下部には、反発マグネット２９が取り付けられ、振り子２８の左右の移動に伴い発電マグネット組立体１０の左側に近づいたり、遠ざかるようにする。尚、この反発マグネット２９と発電マグネット１５の極性は互いに近づいた場合反発しあうような極性にしておく。発電マグネット組立体１０は実施例１で使用した物と同様の物を使用し、コイル押さえ５９でコイル保持板２へ固定されており、図１（Ｃ）の断面図同様、図３（Ｃ）のＡ−Ａ方向よりの切断した断面図を図３（Ｄ）に示し、内部部品の詳細と動作は実施例１で説明しているので省略する。コイル１４より出る２本の電線の先に制御箱１３を接続し、更にその先に電線１２と発光ダイオード１１を接続する。コイル保持板２をクリップ９により、自転車のフレームやサドルの下等に取り付けると、通常自転車の走行中に受ける風力等により、プロペラ1が回転し、その力がギアを通して最終段の吸引マグネット８がある回転板７に伝わり、シャフトを軸として回転板７が回転する。図３（Ｃ）に示すように回転板７が矢印５８の向きへ回転し振り子２８の上部右角にあたり回転していくと、振り子２８の下部は軸６２を中心に右に移動し、発電マグネット組立体１０の左へ近づくと、パイプ１６の内部にある発電マグネット１５は反発マグネット２９の反発する磁力により、圧縮バネ１７を押して右方向へ移動する。これにより、コイル１４内部の左端から右端へ発電マグネット１５が移動し、コイル１４には電気が発生し、その出力は制御箱１３に流れ、終端の発光ダイオード１１を点灯させる。更に回転板７が回転して振り子の右端が回転板より外れると、圧縮バネ１７の力により発電マグネット１５は元の位置へ瞬時に戻される。これにより再度コイル１４内部を発電マグネット１５が移動する為、再度逆向きの電気がコイルに流れ、制御箱１３を通し発光ダイオード１１を点灯させる。コイル１４から発生する電力は図８に示す回路のように接続され、制御箱１３内に存在するブリッジダイオード５５へ流れてその後抵抗５７を経て発光ダイオード１１へ出力される。発光ダイオード１１の保護の為、コンデンサー５６に並列にツェナーダイオードを接続し、過大な電圧より発光ダイオード１１を保護してもよい（図示せず）。クリップ９の形状や取り付け位置、取り付け方向を変化させ、障害物の一部や、ガードレール、建築物の角等風力を得られる場所に取り付けると、夜間その物体の存在位置を外部に知らせることができる。図３（Ｄ）では、パイプ１６の内部に挿入する発電マグネットの形状は円筒形であるが、球状にしても良く、パイプ１６の形状を多角にし、挿入する発電マグネット１５を多角柱にしてもよい。発電マグネット１５は蓋１８をパイプ１６より取り外すと分離��きるので、パイプ内部の掃除や発電マグネット１５やクッション等の交換ができる。パイプ１６やコイル押さえ５９はアルミやプラスチック等の非磁性体の物を利用し、又、コイル保持板の材質も発電マグネット１５に影響を与えない非磁性体の物を利用する。本発明では発電マグネット１５が圧縮バネ１７により、パイプ内を左右に正確に移動できる為、発電マグネット１５とコイル１４の移動開始位置、移動時の軌道が常に同じ状態になり、発電マグネット１５とコイル１４の間隔を狭くすることで発電効率を高めて、安定した電力を発生することができる。制御箱１３より発光ダイオード１１までの電線１２を長くしておくと、発光ダイオード１１の取り付け位置は自転車等の場合サドル後方、フレームやフェンダー等へ粘着材やクリップ等を利用し取り付けられる。又、図３（Ａ）のクリップ９の大きさや形、取り付け位置や方法を変え、他のフレーム等に取付けても良い。これにより、自転車の場合、夜間に自転車の側面、後方より発光ダイオード１１の点滅を確認でき、安全性が確保できる。図３（Ａ）では、回転板７を１つにしているが、回転板７の形状を十字や６角と複数にして振り子２８の左右の動きの回数を増やすと回転板の１回転に複数回点灯させることができる。コイル１４に発生する電力は、主に発電マグネット１５の磁力の強さと、通過するスピード、及びコイル１４の巻き線数等によるが、発電マグネット１５の磁力の強さと、コイル１４の巻き線数と圧縮バネ１７の強さは自転車等に取り付けた場合、通常走行回転で発光ダイオード１１を点灯させることができる値を決めればよく、又発光ダイオード１１を複数個取り付けてもよい。振り子２８に取り付ける反発マグネット２９の代わりに磁性体の物を取り付け、或は反発マグネット２９の極性を逆にして互いの吸引力を利用し移動させても良い。尚、この場合、発電マグネット組立体１０で使用する圧縮バネ１７を引っ張りバネやゴム等伸縮する物に代えて片側をネジ等で蓋１８に固定し、更にもう一方の片側を発電マグネット１５と接続して固定する必要がある。
【実施例５】
【００２６】
図４（Ａ）は図１（Ａ）のコイル保持板２にバネ固定板３０と圧縮バネ１７の代わりに圧縮バネ３３をネジ２６等でパイプ３２内から外れないようにして取り付け、パイプ１６の代わりにパイプ３２を使用し、蓋１８を取り外し、パイプ内部に発電マグネット１５とクッション３４を挿入し、パイプ３２の外側にコイル１４を取り付けて、パイプ３２の片側をコイル保持板２に取り付けた斜視図である。（Ｂ）はＡ―Ａ方向より切断した発電マグネット組立体１０の部分を断面にした側面図、図４（Ｃ）は図４（Ｂ）の圧縮バネ３３を引っ張りバネ３５に代えた場合のＡ−Ａ方向より切断した発電マグネット組立体１０の部分を断面にした側面図であり、バネ固定板３０を利用しての動作と発電方法について説明する。
図４（Ｂ）のように、図３（Ｄ）のパイプ１６の代わりにパイプ３２を使用し、蓋１８を取り外し、パイプ内部に発電マグネット１５とクッション３４を挿入し、パイプ３２の外側にコイル１４を取り付けて、パイプ３２の片側をコイル保持板２に接着剤やネジ等で取り付ける。発電マグネット１５の左側に圧縮バネ３３をネジ２６等を利用して取り付け、パイプ３２内から外れないようにパイプ３２内に挿入する。圧縮バネ３３のもう片側をネジ２６でバネ固定板３０へ固定し、コイル保持板２にバネ固定板３０をネジ３１で固定する。これにより、動作は実施例１の時と同様に回転板７の回転に伴い発電マグネット１５がコイル１４内部を左右に移動しコイルに電気が発生し、発光ダイオードを点灯する。その動作の詳細は実施例１で説明してあるので省略する。
次にバネ固定板３０を利用し、引っ張りバネ３５を利用した場合の動作について説明する。図４（Ｃ）のように、上記圧縮バネ３３の代わりに引っ張りバネ３５を利用し、発電マグネット１５の極性を反対にしたもので、接着剤６３やネジ等で発電マグネット１５の左端に引っ張りバネ３５を固定し、又、その反対側もネジ２６でネジ固定板３０に固定する。パイプ内部にクッション３４を挿入し、パイプ３２の外側にコイル１４を取り付けて、パイプ３２の片側をコイル保持板２に接着剤やネジ等で取り付け、コイル保持板２に固定し、パイプ３２内部に引っ張りバネ３５と連結された発電マグネット１５を挿入し、ネジ３１によりネジ固定板３０をコイル固定板２に取り付ける。これにより、動作は実施例１と殆ど似ており、回転板７が回転し吸引マグネット８が発電マグネット１５に近づくと、吸引マグネット８と発電マグネット１５の極性が逆相の為互いに吸引し、発電マグネット１５は引っ張りバネ３５を引っ張って右に移動する。発電マグネット１５の吸引力と引っ張りバネ３５の吸引力の力関係を吸引マグネット８が近づいた場合、瞬時に移動できる値にしておくと、発電マグネット１５がパイプ３２の内部を移動し、外側のコイル１４の内部を移動することになり、コイルには電気が発生し、その出力は制御箱１３に流れ、終端の発光ダイオード１１を点灯させる。更に回転板７が回転して遠ざかると、発電マグネット１５との吸引力が弱まり、引っ張りバネ３５の力により発電マグネット１５は元の位置へ瞬時に戻される。これにより再度コイル１４内部を発電マグネット１５が移動する為、再度逆向きの電気がコイルに流れ、制御箱１３を通し発光ダイオード１１を点灯させる。尚、引っ張りバネ３５の代わりに伸縮するゴム等を利用しても良い。その他の詳細は実施例１と同様であり、説明してあるので省略する。
次に、バネ固定板３０を利用し、上記圧縮バネ３３や引っ張りバネ３５の代わりに伸縮ゴム３６を利用した場合の動作と発電方法について説明する。
図４（Ｄ）に示すように、発電マグネット１５と接続部材３７を連結させ、接続部材３７の上下部をネジ４２により２個の伸縮ゴム３６の片側と接続する。パイプ３２の内部にクッション３４を入れ、続いて伸縮ゴム３６と連結された発電マグネット１５を挿入し、伸縮ゴム３６の反対側をネジ４２によりコイル保持板２に取り付け、バネ固定板３０の内側に衝撃吸収用のクッション３８を取り付ける。又、図４（Ｄ）は図４（Ｂ）同様、Ａ―Ａ方向より切断した発電マグネット組立体１０の部分を断面にした側面図である。これにより、動作は実施例１と殆ど似ており、回転板７が回転し吸引マグネット８が発電マグネット１５に近づくと、吸引マグネット８と発電マグネット１５の極性が同相の為互いに反発し、発電マグネット１５は伸縮ゴム３６を引っ張って左に移動する。発電マグネット１５の反発力と伸縮ゴム３６の収縮力の力関係を吸引マグネット８が近づいた場合、瞬時に移動できる値にしておくと、発電マグネット１５がパイプ３２の内部を移動し、外側のコイル１４の内部を移動することになり、コイルには電気が発生し、その出力は制御箱１３に流れ、終端の発光ダイオード１１を点灯させる。更に回転板７が回転して遠ざかると、発電マグネット１５との反発力が弱まり、伸縮ゴム３６の収縮力により発電マグネット１５は元の位置へ瞬時に戻される。これにより再度コイル１４内部を発電マグネット１５が移動する為、再度逆向きの電気がコイルに流れ、制御箱１３を通し発光ダイオード１１を点灯させる。尚、伸縮ゴム３６の代わりに引っ張りバネ等を利用しても良い。その他の詳細は実施例１と同様であり、説明してあるので省略する。尚、接続部材３７と発電マグネット１５の接続方法は互いにネジ加工、或は接着剤等で接続し、或は収縮チューブ等の保護カバーで被い連結しても良い。接続部材３７はアルミやプラスチック等の非磁性体の物を利用し、又、コイル保持板２の材質も発電マグネット１５や吸引マグネット８に影響を与えない非磁性体の物を利用する。
【実施例６】
【００２７】
次に、発電マグネット１５をパイプ５０内に入れパイプ５０の両端、或は片側を発電マグネット１５が飛び出さないように伸縮ゴム４９等で被い、パイプ５０の外側にコイル１４を取り付け、コイル１４より出る線に制御箱１３を近くに取り付け、更に制御箱１３より出る電線１２の先に発光ダイオード１１を取り付け、これらを１つのケース４８へ挿入した発電マグネット組立体６４に、サドル等を取り付け、外部エネルギーの振動や圧力等を利用した場合の動作及び発電方法、使用方法について説明する。
図５（Ａ）はケース４８内に発光ダイオード１１、外側にサドル４７を取り付けた斜視図であり、（Ｂ）はＡ−Ａ方向より切断した断面図であり、（Ｃ）はサドル４７の代わりにクリップ５２を取り付けた斜視図であり、（Ｄ）はサドル４７の代わりにケーブルクリップ５４を取り付けた斜視図である。請求項５の自己発電物体位置表示器は、図５（Ｂ）に示すように、発電マグネット１５をパイプ５０内に入れパイプ５０の両端、或は片側を発電マグネット１５が飛び出さないように伸縮ゴム４９等で被い、パイプ５０の外側にコイル１４を取り付け、コイル１４より出る線に制御箱１３を近くに取り付け、更に制御箱１３より出る電線１２の先に発光ダイオード１１を取り付け、これらを１つのケース４８へ挿入し、このケースにサドル等を取り付けて形成され、これらのものは、できる限り発電マグネット１５に影響を与えない非磁性体物質で製作する。発電マグネット１５はパイプ５０内を上下にスムーズに移動できるようにし、その片側、或は両側を伸縮性のゴムやバネ、スポンジ、エアークッション、板バネ等、或は非磁性体物質で被い、発電マグネット１５が外部へ飛び出さないようにし、又、発電マグネット１５の衝撃を吸収して衝撃音を小さくするようにする。又、パイプ５０の外側にコイル１４を取り付け、一部又は全部を接着剤５１やネジ等で制御箱１３と発光ダイオード１１と一緒にケース４８内部に固定する。このケース４８の外側にネジ５３によりサドル４７が取り付けられる。サドル４７の大きさや、形、取り付け位置や角度は取り付け物体に合わせ変化させればよく、使用しなくても良い。又、図６（Ｂ）のようにパイプ５０の底部をネジ加工し、発電マグネット１５の下にクッション３４を置き、これらを蓋１８でふさいでも良い（図示せず）。これにより、発電マグネット１５の交換やパイプ内部の異物の除去等を行なうことができる。サドル４７を人の服や靴、ランドセル、傘、犬の首輪やリード、自転車等に取り付けると、人の振動やペットの振動、物体の振動等によりパイプ５０内の発電マグネット１５は、図５（Ｂ）の場合、コイル１４内を上下に移動し、順電流、逆電流の向きの電気を発生する。コイル１４から発生する電力は図８に示す回路のように接続され、制御箱１３内に存在するブリッジダイオード５５へ流れて整流され、常に同じ方向の電流を抵抗５７へ流すようにし、その後抵抗５７を経て発光ダイオー１１へ出力される。パイプ５０内の発電マグネット１５はその取り付けられた場所や、取り付け方により、上下、左右、前後に移動し、コイル１４内部を同様に移動し、最終段の発光ダイオード１１を点灯させる。これによりこれを取り付けた物体の存在を外部に知らせることができる。図５（Ｂ）では、パイプ５０の内部に挿入する発電マグネットの形状は円筒形であるが、球状にして小さな振動等で移動させても良く、パイプ５０の形状を多角にし、挿入する発電マグネットを多角柱にしてもよい。又、図５（Ｂ）で、発電マグネット１５を被っている伸縮ゴム４９の上下に穴を開け、更にその上下にあるケース４８にも穴を開け、空気が通り抜けるようにすると、空気の流れ等による外部エネルギーにより発電マグネットを移動させ発電を行なうことがでる。コイル１４に発生する電力は、主に発電マグネット１５の磁力の強さと、コイル内を通過するスピード、及びコイルの巻き線数等によるが、発電マグネット１５の磁力の強さと、コイル１４の巻き線数は人の歩く振動やペットの歩く振動等で発光ダイオード１１を点灯させることができる値を決めればよい。図５（Ｃ）はサドル４７の代わりにクリップ５２を取り付けた場合で、クリップ５２の大きさや、形、取り付け位置や角度は取り付け物体に合わせ変化させればよい。図５（Ｄ）はサドル４７の代わりにケーブルクリップ５４をネジ５３で取り付け先端に穴３９をあけてある。このケーブルクリップ５４は自在に変形でき、クリップ５２同様大きさや、形、取り付け位置や角度は取り付け物体に合わせ変化させればよく、長さもいろいろ変化でき、取り付け場所に巻きつけたり先端の穴３９を利用し、取り付け物体にネジ等で固定しても良い。又、ケーブルクリップ５４の代わりにキーホルダー等のチェーンをネジ５３で固定し、物体に取り付けても良い。
【実施例７】
【００２８】
次に外部エネルギーとして主に人の力を利用し、図５（Ａ）の発電マグネット組立体６４を図６（Ａ）のようにコイル固定板４４に取り付け、圧縮バネ４１の振動により、発電し、外部に発光する方法について説明する。
図６（Ａ）は発電マグネット組立体６４を取り付けたコイル固定板４４を、圧縮バネ４１を介し固定台４５に取り付けた斜視図であり、図６（Ｂ）はＡ−Ａ方向より切断し、発電マグネット組立体６４部分を断面にした側面図である。発電マグネット組立体６４は実施例６で使用された物とほぼ同様であるが、一部が変化しておりパイプ５０の底部をネジ加工し、発電マグネット１５の下にクッション３４を置き、これらを蓋１８でふさいであり、ケース４８の底部に蓋１８を取り外し出来る穴を設けておき、蓋１８の外側にプラスドライバー等で回して蓋１８を外せるように加工しておく。その他の内部構造や動作は実施例６と同様なので詳細は省略する。図６（Ａ）に示すように、コイル固定板４４にケース４８の底部の穴と同じ大きさの穴を設け、その穴と一致するようにケース４８を接着剤等でコイル固定板４４に固定する。更に、この固定板４４の両端下部にねじ４０を利用して圧縮バネ４１を取り付ける。一方でこの圧縮バネ４１の片側を接着剤やネジ等を利用し固定台４５に取り付け、発電マグネット組立体６４の内部の発電マグネット１５の極性と強く反発する位置に吸引マグネット８の極性を同相にして固定台４５に取り付ける。パイプ５０の底部をネジ加工し蓋１８が取り外しできる為、これにより、発電マグネット１５の交換やパイプ内部の異物の除去等を行なうことができる。固定台４５を手に持って、夜間の散歩等に外出し、図６（Ｂ）の発電マグネット組立体６４の上方を手でたたくと、圧縮バネ４１が収縮し、発電マグネット組立体６４は下方へ移動し、パイプ５０内部の発電マグネット１５は吸引マグネット８の反発する磁力により、上方へ移動する。これにより、コイル１４内部を発電マグネット１５がコイル１４の下端より上端まで移動し、コイルには電気が発生し、発光ダイオード１１を点灯する。更に、圧縮バネ４１の振動により次は発電マグネット１５が下方へ移動し、コイル１４の上端より下端まで移動し、コイルには逆の電気が発生し、再度発光ダイオード１１を点灯する。圧縮バネ４１による振動は暫く続き、その間発電マグネット１５が上下に移動し、発光ダイオード１１を点灯する。これによりこれを取り付けた物体の存在を外部に知らせることができる。固定台４５の穴４６にネジ等で自転車等に取り付け、或は、穴４６に安全ピンを挿入し人の衣服等に取り付けると、それらの振動により、圧縮バネ４１が振動し、発光ダイオードを点灯することもできる。コイル１４から発生する電力は図８に示す回路のように接続され、制御箱１３内に存在するブリッジダイオード５５へ流れてその後抵抗５７を経て発光ダイオー１へ出力される。図６（Ｂ）では、パイプ５０の内部に挿入する発電マグネットの形状は円筒形であるが、球状にして小さな振動等で移動させても良く、パイプ５０の形状を多角にし、挿入する発電マグネットを多角柱にしてもよい。又、図６（Ｂ）で、発電マグネット組立体６４の上部に発光ダイオードの光だけが見えるように穴を開けた板状のものを取り付けると、その板に風等があたって、圧縮バネ４１を押し、その振動又は圧力で発光ダイオードを点灯させることもできる（図示せず）。図６（Ｂ）で、コイル固定板４４が下降しすぎるのを止めるためのストッパーとして、吸引マグネット８の外周にクッション等を取り付け、衝撃を吸収してもよい。
【実施例８】
【００２９】
次に実施例７と同様に外部エネルギーとして主に人の力を利用し、図５（Ａ）の発電マグネット組立体６４を図７のようにコイル固定板４４に取り付け、圧縮バネ４１の振動により発電し、外部に発光する方法について説明する。
図７は図６（Ｂ）の発電マグネット組立体６４内下部のクッション３４と蓋１８を取り除き、接続部材６０を発電マグネット１５に連結し、その接続部材６０を吸引マグネット８の代わりに固定台４５へ取り付け、図６（Ａ）と同様にＡ−Ａ方向より切断し、発電マグネット組立体６４部分を断面にした側面図である。図７に示すように、図６（Ｂ）の発電マグネット組立体６４内のクッション３４と蓋１８を取り除き、発電マグネット１５を接続部材６０に連結し、その接続部材６０を吸引マグネット８の代わりに固定台４５へ取り付けてある。図６（Ｂ）と違って、発電マグネット１５が接続部材６０を介して直接固定台４５に取り付けられているので、固定台４５を手に持って、夜間の散歩等に外出し、図７の発電マグネット組立体６４の上方を手でたたくと、圧縮バネ４１が収縮し、発電マグネット組立体６４は下方へ移動し、パイプ５０の外側のコイル１４も同時に下方へ移動する。これにより固定台４５に固定された発電マグネット１５がコイル１４の下端から上端まで移動することになり、コイル１４には電気が発生し、発光ダイオード１１を点灯する。更に、圧縮バネ４１の振動により次は発電マグネット組立体６４が上方へ移動し、発電マグネット１５がコイル１４の上端より下端まで移動し、コイルには逆の電気が発生し、再度発光ダイオード１１を点灯する。接続部材６０の外輪４３はコイル固定板４４が下降しすぎるのを止めるためのストッパーの役目をし、外輪４３にクッション等を取り付け、衝撃を吸収してもよい。又、接続部材６０と発電マグネットの接続方法は互いにネジ加工、或は接着剤等で接続し、或は収縮チューブ等の保護カバーで被い連結しても良い。その後の動作や発電方法等は上記実施例７と同様なので詳細は省略する。この様に本発明では外部エネルギーにより発電マグネットを移動させパイプの外側のコイルに電気を発生させて発光ダイオードを点灯させ、その装置を物体に取り付けることによりその物体の存在を外部に知らせることができる。
【符号の説明】
【００３０】
１    プロペラ
２    コイル保持板
３    シャフト
４    ギアＡ
５    ギアＢ
６    ギアＣ
７    回転板
８    吸引マグネット
９    クリップ
１０    発電マグネット組立体
１１    発光ダイオード（ＬＥＤ）
１２    電線
１３    制御箱
１４    コイル
１５    発電マグネット
１６    パイプ
１７    圧縮バネ
１８    蓋
１９    接続部材
２０    カム
２１    ストッパー
２２    ワイヤー
２３    発電マグネット
２４    引っ張りバネ
２５    接着剤
２６    ネジ
２７    パイプ
２８    振り子
２９    反発マグネット
３０    バネ固定板
３１    ネジ
３２    パイプ
３３    圧縮バネ
３４    クッション
３５    引っ張りバネ
３６    伸縮ゴム
３７    接続部材
３８    クッション
３９    穴
４０    ネジ
４１    圧縮バネ
４２    ネジ
４３    外輪
４４    コイル固定板
４５    固定台
４６    穴
４７    サドル
４８    ケース
４９    伸縮ゴム
５０    パイプ
５１    接着剤
５２    クリップ
５３    ネジ
５４    ケーブルクリップ
５５    ブリッジダイオード
５６    コンデンサー
５７    抵抗
５８    矢印
５９    コイル押さえ
６０    接続部材
６１    パイプ
６２    軸
６３    接着剤
６４    発電マグネット組立体
【図１】
2014103796.tif 000003
【図２】
2014103796.tif 000004
【図３】
2014103796.tif 000005
【図４】
2014103796.tif 000006
【図５】
2014103796.tif 000007
【図６】
2014103796.tif 000008
【図７】
2014103796.tif 000009
【図８】
2014103796.tif 000010